【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
マップインタラクションのためのコンピュータにより実施される方法であって、
視覚的マップインターフェースから、マップ検索操作を特定するユーザ入力を受け取るステップであって、
前記マップ検索操作は、第1の位置、検索基準、および距離決定点を含み、
前記第1の位置と前記距離決定点とは、物理的エリアを表すマップデータのセット内の位置をそれぞれ特定し、
前記第1の位置と前記距離決定点とは、前記物理的エリアの物理的位置を表す、ステップと、
前記第1の位置と前記距離決定点との間の選択された距離を決定するステップであって、
前記選択された距離は、前記第1の位置と前記距離決定点とによって表される前記物理的位置の間の物理的距離を表す、ステップと、
前記第1の位置と前記選択された距離とに基づいて、区分された範囲を決定するステップであって、
前記区分された範囲は、前記物理的エリア内の形状を表し、
前記形状は、前記第1の位置と前記選択された距離とに基づいて定義され、
前記第1の位置は、前記形状の中心であり、
前記距離決定点は、前記形状の外周上に位置する、ステップと
前記区分された範囲内の、前記検索基準に照合する1つまたは複数のターゲットオブジェクトを識別するステップと、
前記視覚的マップインターフェースにおいて、検索結果セットとして、前記区分された範囲内の前記1つまたは複数のターゲットオブジェクトを表示するステップであって、
各ターゲットオブジェクトは、前記区分された範囲によって表される前記物理的エリアのサブセット内の物理的位置に関連付けられている、ステップと
を含む方法。
【請求項２】
前記1つまたは複数のターゲットオブジェクトを表示するステップの前に、
マップサーバに検索要求を送信するステップであって、前記検索要求は前記区分された範囲を含む、ステップと、
前記区分された範囲内の前記1つまたは複数のターゲットオブジェクトを含む検索応答を、前記マップサーバから受信するステップと
をさらに含む、請求項1に記載の方法。
【請求項３】
前記マップ検索操作を特定する前記ユーザ入力を受け取るステップは、
前記視覚的マップインターフェース上のドラッグ操作を検出するステップであって、前記ドラッグ操作は始点と終点とを含む、ステップと、
前記始点を前記第1の位置に割り当て、前記終点を前記距離決定点に割り当てるステップと
を含む、請求項1に記載の方法。
【請求項４】
前記マップ検索操作を特定する前記ユーザ入力を受け取るステップは、前記視覚的マップインターフェース上の前記第1の位置の後、ユーザによって選択された点を前記距離決定点として識別するステップを含む、請求項1に記載の方法。
【請求項５】
前記形状は、円形エリアであり、
前記第1の位置と前記選択された距離とに基づいて、前記区分された範囲を決定するステップは、前記区分された領域として前記円形エリアを生成するステップであって、前記円形エリアは、前記円形エリアの中心としての前記第1の位置と、前記円形エリアの半径としての前記第1の位置と前記距離決定点との間の前記距離とを備える、ステップを含む、請求項1に記載の方法。
【請求項６】
前記形状は、正方形エリアであり、
前記第1の位置と前記選択された距離とに基づいて、前記区分された範囲を決定するステップは、前記区分された領域として前記正方形エリアを生成するステップであって、前記正方形エリアは、前記正方形エリアの中心としての前記第1の位置と、前記正方形エリアの頂点としての前記距離決定点とを備える、ステップを含む、請求項1に記載の方法。
【請求項７】
前記マップ検索操作を特定する前記ユーザ入力を受け取るステップは、テキスト形式でユーザによって入力されたテキストを受け取るステップであって、前記テキストは前記第1の位置および前記選択された距離を表す、ステップを含む、請求項1に記載の方法。
【請求項８】
前記マップ検索操作を特定する前記ユーザ入力を受け取るステップは、タッチスクリーンディスプレイ上に表示される視覚的マップインターフェースから、前記第1の位置および前記選択された距離を表すタッチ入力を受け取るステップを含み、
前記検索結果セットとして、前記区分された範囲内の前記1つまたは複数のターゲットオブジェクトを表示するステップは、前記視覚的マップインターフェース上に前記区分された範囲を表示するステップを含む、請求項1に記載の方法。
【請求項９】
コンピュータシステムによって実行可能な1つまたは複数の命令を記憶した非一時的コンピュータ可読記録媒体であって、前記命令は、前記コンピュータシステムに、
視覚的マップインターフェースから、マップ検索操作を特定するユーザ入力を受け取るステップであって、
前記マップ検索操作は、第1の位置、検索基準、および距離決定点を含み、
前記第1の位置と前記距離決定点とは、物理的エリアを表すマップデータのセット内の位置をそれぞれ特定し、
前記第1の位置と前記距離決定点とは、前記物理的エリアの物理的位置を表す、ステップと、
前記第1の位置と前記距離決定点との間の選択された距離を決定するステップであって、
前記選択された距離は、前記第1の位置と前記距離決定点とによって表される前記物理的位置の間の物理的距離を表す、ステップと、
前記第1の位置と前記選択された距離とに基づいて、区分された範囲を決定するステップであって、
前記区分された範囲は、前記物理的エリア内の形状を表し、
前記形状は、前記第1の位置と前記選択された距離とに基づいて定義され、
前記第1の位置は、前記形状の中心であり、
前記距離決定点は、前記形状の外周上に位置する、ステップと
前記区分された範囲内の、前記検索基準に照合する1つまたは複数のターゲットオブジェクトを識別するステップと、
前記視覚的マップインターフェースにおいて、検索結果セットとして、前記区分された範囲内の前記1つまたは複数のターゲットオブジェクトを表示するステップであって、
各ターゲットオブジェクトは、前記区分された範囲によって表される前記物理的エリアのサブセット内の物理的位置に関連付けられている、ステップと
を含む動作を実行させる、非一時的コンピュータ可読記録媒体。
【請求項１０】
前記動作は、
前記1つまたは複数のターゲットオブジェクトを表示するステップの前に、
マップサーバに検索要求を送信するステップであって、前記検索要求は前記区分された範囲を含む、ステップと、
前記区分された範囲内の前記1つまたは複数のターゲットオブジェクトを含む検索応答を、前記マップサーバから受信するステップと
をさらに含む、請求項9に記載の非一時的コンピュータ可読記録媒体。
【請求項１１】
前記マップ検索操作を特定する前記ユーザ入力を受け取るステップは、
前記視覚的マップインターフェース上のドラッグ操作を検出するステップであって、前記ドラッグ操作は始点と終点とを含む、ステップと、
前記始点を前記第1の位置に割り当て、前記終点を前記距離決定点に割り当てるステップと
を含む、請求項9に記載の非一時的コンピュータ可読記録媒体。
【請求項１２】
前記マップ検索操作を特定する前記ユーザ入力を受け取るステップは、前記視覚的マップインターフェース上の前記第1の位置の後、ユーザによって選択された点を前記距離決定点として識別するステップを含む、請求項9に記載の非一時的コンピュータ可読記録媒体。
【請求項１３】
前記形状は、円形エリアであり、
前記第1の位置と前記選択された距離とに基づいて、前記区分された範囲を決定するステップは、前記区分された領域として前記円形エリアを生成するステップであって、前記円形エリアは、前記円形エリアの中心としての前記第1の位置と、前記円形エリアの半径としての前記第1の位置と前記距離決定点との間の前記距離とを備える、ステップを含む、請求項9に記載の非一時的コンピュータ可読記録媒体。
【請求項１４】
前記形状は、正方形エリアであり、
前記第1の位置と前記選択された距離とに基づいて、前記区分された範囲を決定するステップは、前記区分された領域として前記正方形エリアを生成するステップであって、前記正方形エリアは、前記正方形エリアの中心としての前記第1の位置と、前記正方形エリアの頂点としての前記距離決定点とを備える、ステップを含む、請求項9に記載の非一時的コンピュータ可読記録媒体。
【請求項１５】
前記マップ検索操作を特定する前記ユーザ入力を受け取るステップは、テキスト形式でユーザによって入力されたテキストを受け取るステップであって、前記テキストは前記第1の位置および前記選択された距離を表す、ステップを含む、請求項9に記載の非一時的コンピュータ可読記録媒体。
【請求項１６】
前記マップ検索操作を特定する前記ユーザ入力を受け取るステップは、タッチスクリーンディスプレイ上に表示される視覚的マップインターフェースから、前記第1の位置および前記選択された距離を表すタッチ入力を受け取るステップを含み、
前記検索結果セットとして、前記区分された範囲内の前記1つまたは複数のターゲットオブジェクトを表示するステップは、前記視覚的マップインターフェース上に前記区分された範囲を表示するステップを含む、請求項9に記載の非一時的コンピュータ可読記録媒体。
【請求項１７】
コンピュータにより実施されるシステムであって、
1つまたは複数のコンピュータと、
前記1つまたは複数のコンピュータに動作可能に接続され、かつ1つまたは複数の命令を記憶した非一時的マシン可読記録媒体を備えた1つまたは複数のコンピュータメモリデバイスと
を備え、
前記1つまたは複数の命令は、前記1つまたは複数のコンピュータによって実行されると、前記1つまたは複数のコンピュータに、
視覚的マップインターフェースから、マップ検索操作を特定するユーザ入力を受け取るステップであって、
前記マップ検索操作は、第1の位置、検索基準、および距離決定点を含み、
前記第1の位置と前記距離決定点とは、物理的エリアを表すマップデータのセット内の位置をそれぞれ特定し、
前記第1の位置と前記距離決定点とは、前記物理的エリアの物理的位置を表す、ステップと、
前記第1の位置と前記距離決定点との間の選択された距離を決定するステップであって、
前記選択された距離は、前記第1の位置と前記距離決定点とによって表される前記物理的位置の間の物理的距離を表す、ステップと、
前記第1の位置と前記選択された距離とに基づいて、区分された範囲を決定するステップであって、
前記区分された範囲は、前記物理的エリア内の形状を表し、
前記形状は、前記第1の位置と前記選択された距離とに基づいて定義され、
前記第1の位置は、前記形状の中心であり、
前記距離決定点は、前記形状の外周上に位置する、ステップと
前記区分された範囲内の、前記検索基準に照合する1つまたは複数のターゲットオブジェクトを識別するステップと、
前記視覚的マップインターフェースにおいて、検索結果セットとして、前記区分された範囲内の前記1つまたは複数のターゲットオブジェクトを表示するステップであって、
各ターゲットオブジェクトは、前記区分された範囲によって表される前記物理的エリアのサブセット内の物理的位置に関連付けられている、ステップと
を含む動作を実行させる、システム。
【請求項１８】
前記動作は、
前記1つまたは複数のターゲットオブジェクトを表示するステップの前に、
マップサーバに検索要求を送信するステップであって、前記検索要求は前記区分された範囲を含む、ステップと、
前記区分された範囲内の前記1つまたは複数のターゲットオブジェクトを含む検索応答を、前記マップサーバから受信するステップと
をさらに含む、請求項17に記載のシステム。